(57)【要約】【課題】  設定データの送信操作を行う外部装置側が、受信側の装置の設定パラメータの構成内容を把握している必要があったり、外部装置が設定パラメータの情報を受信側からいったん引き出す必要があったりしていた。また、複数の装置に同じ内容の設定を行いたい場合には、外部装置において同じ操作を何度も繰り返す必要があった。【解決手段】  設定内容データを受信した場合に、パラメータ設定手段が設定内容データに基づいて設定パラメータの設定を行う一方で、設定内容データ転送手段は、転送先登録手段に登録された転送先に設定内容データを送信する。【選択図】        図１
2005228210.tif 000002
【特許請求の範囲】
【請求項１】
オペレータが設定可能な設定パラメータを有し、
前記設定パラメータを特定するための識別子と共に前記設定パラメータの設定内容を示した情報を少なくとも一組以上有する設定内容データを外部装置からネットワークを経由して受信する設定内容データ受信手段と、
前記設定内容データ受信手段が受信した前記設定内容データに基づいて前記設定パラメータのうちの少なくとも一つ以上を設定可能なパラメータ設定手段を有する情報処理装置において、
受信した前記設定内容データを格納する設定内容データ記憶手段と、
前記設定内容データ記憶手段に格納された前記設定内容データをネットワーク上の他の装置に転送する設定内容データ転送手段と、
オペレータによって転送先を登録することが可能な転送先登録手段とを有し、
前記設定内容データ受信手段が前記設定内容データを受信した場合に、前記パラメータ設定手段が前記設定内容データに基づいて前記設定パラメータの設定を行う一方で、前記設定内容データ転送手段は、前記転送先登録手段に登録された転送先に前記設定内容データを送信することを特徴とする情報処理装置。
【請求項２】
請求項１において、
前記設定内容データ記憶手段に格納された前記設定内容データのうち少なくとも一つの設定パラメータの設定内容を変更することが可能な設定内容データ変更手段を有し、
前記設定内容データを外部装置から受信した場合に、前記設定内容データ転送手段は、前記設定内容データ変更手段によって変更された設定内容データを、前記転送先登録手段に登録された転送先に転送することを特徴とする情報処理装置。
【請求項３】
請求項１において、
前記設定内容データ記憶手段に格納された設定内容データのうち、自装置に存在しない設定パラメータに関する設定内容は削除することが可能な設定内容データ変更手段を有し、
前記設定内容データを外部装置から受信した場合に、前記設定内容データ転送手段は、前記設定内容データ変更手段によって変更された設定内容データを、前記転送先登録手段に登録された転送先に転送することを特徴とする情報処理装置。
【請求項４】
請求項１において、
前記設定内容データ記憶手段に格納された設定内容データのうち、自装置において自動設定禁止の設定がなされている設定パラメータの設定内容は削除することが可能な設定内容データ変更手段を有し、
前記設定内容データを外部装置から受信した場合に、前記設定内容データ転送手段は、前記設定内容データ変更手段によって変更された設定内容データを、前記転送先登録手段に登録された転送先に転送することを特徴とする情報処理装置。
【請求項５】
オペレータが設定可能な設定パラメータを有し、
前記設定パラメータを特定するための識別子と共に前記設定パラメータの設定内容を示した情報を少なくとも一組以上有する設定内容データを外部装置からネットワークを経由して受信する設定内容データ受信手段と、
前記設定内容データ受信手段が受信した前記設定内容データに基づいて前記設定パラメータのうちの少なくとも一つ以上を設定可能なパラメータ設定手段を有する情報処理装置において、
各設定パラメータごとに、「自動設定許可」または「自動設定禁止」または「確認した上で設定」のうちのいずれか一つをオペレータが選択するためのパラメータ状態選択手段を有し、
受信した前記設定内容データに示された前記設定パラメータが前記パラメータ状態選択手段によって「自動設定許可」が選択されている設定パラメータである場合には、前記パラメータ設定手段は前記設定内容データに基づいて前記設定パラメータの設定を行い、
受信した前記設定内容データに示された前記設定パラメータが前記パラメータ状態選択手段によって「自動設定禁止」が選択されている設定パラメータである場合には、前記パラメータ設定手段は前記設定パラメータの設定を行わず、
受信した前記設定内容データに示された前記設定パラメータが前記パラメータ状態選択手段によって「確認した上で設定」が選択されている設定パラメータである場合には、オペレーションパネル上に設定要求があった旨の表示を行い、オペレータによって前記パラメータの設定許可の操作がなされた場合に、前記パラメータ設定手段は前記設定内容データに基づいて前記パラメータの設定を行うことを特徴とする情報処理装置。
【請求項６】
オペレータが設定可能な設定パラメータを有し、
前記設定パラメータを特定するための識別子と共に前記設定パラメータの設定内容を示した情報を少なくとも一組以上有する設定内容データを外部装置からネットワークを経由して受信する設定内容データ受信手段と、
前記設定内容データ受信手段が受信した前記設定内容データに基づいて前記設定パラメータのうちの少なくとも一つ以上を設定可能なパラメータ設定手段を有する情報処理装置において、
自装置が有する前記設定パラメータに関して、前記設定パラメータを特定するための識別子と共に前記設定パラメータの設定内容を示した情報を少なくとも一組以上有する設定内容データを作成し、前記設定内容データをネットワーク上の外部装置に送信するための設定内容データ送信手段と、
各設定パラメータごとに、「送出許可」または「送出禁止」のいずれかをオペレータが選択するためのパラメータ状態選択手段を有し、
前記設定内容データ送信手段は、前記パラメータ状態選択手段によって「送出許可」の設定がなされている前記設定パラメータの設定内容は送信し、前記パラメータ状態選択手段によって「送出禁止」の設定がなされている前記設定パラメータの設定内容は送信しないことを特徴とする情報処理装置。
【請求項７】
請求項６において、
前記設定内容データ送信手段は、前記設定パラメータを特定するための識別子を少なくとも一つ以上有するパラメータ識別データを外部装置からネットワークを経由して受信した場合に、前記パラメータ識別データの識別子によって特定された前記設定パラメータの設定内容を前記外部装置に送信することを特徴とする情報処理装置。
【請求項８】
オペレータが設定可能な設定パラメータを有し、
前記設定パラメータを特定するための識別子と共に前記設定パラメータの設定内容を示した情報を少なくとも一組以上有する設定内容データを外部装置からネットワークを経由して受信する設定内容データ受信手段と、
前記設定内容データ受信手段が受信した前記設定内容データに基づいて前記設定パラメータのうちの少なくとも一つ以上を設定可能なパラメータ設定手段を有する情報処理装置において、
オペレータがネットワーク上の外部装置を選択するための外部装置選択手段と、
前記外部装置選択手段によって選択された前記外部装置に対し、前記設定パラメータの設定内容の送信要求を送出する設定パラメータ送信要求手段を有し、
前記設定パラメータ送信要求手段が送信要求を送出した後で、前記設定内容データ受信手段が前記外部装置から設定内容データを受信した場合に、前記パラメータ設定手段は受信した前記設定内容データに基づいて前記設定パラメータを設定することを特徴とする情報処理装置。
【請求項９】
請求項８において、
オペレータが少なくとも一つ以上の前記設定パラメータを選択するための設定パラメータ選択手段を有し、
前記設定パラメータ送信要求手段は、前記外部装置選択手段によって選択された前記外部装置に対し、前記設定パラメータ選択手段によって選択された前記設定パラメータの設定内容の送信要求を送出する手段であって、
前記設定パラメータ送信要求手段が送信要求を送出した後で、前記外部装置から設定内容データを受信した場合に、前記パラメータ設定手段は、前記設定パラメータ選択手段によって選択された前記設定パラメータを、受信した前記設定内容データに基づいて設定することを特徴とする情報処理装置。
【請求項１０】
請求項１ないし請求項９のいずれかにおいて、
前記設定内容データのデータ形式がＸＭＬ形式であることを特徴とする情報処理装置。
【発明の詳細な説明】
【技術分野】
【０００１】
本発明は、ネットワークに接続可能な情報処理装置に関する。
【背景技術】
【０００２】
従来、ネットワークに接続可能な情報処理装置においては、オペレータが装置上で設定可能な各種設定パラメータを、外部装置からネットワークを経由して設定／変更の操作を行うことが可能な装置があった。
【０００３】
例えば、複写機やプリンタにおいては、ＬＡＮに接続し、ＬＡＮを経由して、印字濃度や用紙サイズなどを設定できる装置があった。また、ファクシミリ装置や電話機においては、電話回線を経由して短縮ダイヤルなどを登録できる装置があった。
【特許文献１】特開２００１−３０６２８１号公報
【発明の開示】
【発明が解決しようとする課題】
【０００４】
しかしながら、従来の装置においては、設定データの送信操作を行う外部装置側が、受信側の装置の設定パラメータの構成内容を把握している必要があったり、外部装置が設定パラメータの情報を受信側からいったん引き出す必要があったりしていた。また、複数の装置に同じ内容の設定を行いたい場合には、外部装置において同じ操作を何度も繰り返す必要があった。さらに、ある装置の設定パラメータの内容を他の装置にもコピーする場合には、設定パラメータの構成内容が同じでないと不可能であったり、オペレータが所望する一部のパラメータのみをコピーすることができないといった問題があった。
【０００５】
本発明は、上述の課題に鑑みてなされたもので、送信または転送を行う設定パラメータのデータを状況に応じて作成、変更可能な装置、および、受信した設定パラメータのデータを状況に応じて処理することが可能な装置、設定パラメータの構成が異なる機器間であっても設定パラメータの授受が可能な装置を提供することを目的とする。
【課題を解決するための手段】
【０００６】
上記の目的を達成するために、本発明の請求項１記載の情報処理装置は、オペレータが設定可能な設定パラメータを有し、前記設定パラメータを特定するための識別子と共に前記設定パラメータの設定内容を示した情報を少なくとも一組以上有する設定内容データを外部装置からネットワークを経由して受信する設定内容データ受信手段と、前記設定内容データ受信手段が受信した前記設定内容データに基づいて前記設定パラメータのうちの少なくとも一つ以上を設定可能なパラメータ設定手段を有する情報処理装置において、受信した前記設定内容データを格納する設定内容データ記憶手段と、前記設定内容データ記憶手段に格納された前記設定内容データをネットワーク上の他の装置に転送する設定内容データ転送手段と、オペレータによって転送先を登録することが可能な転送先登録手段とを有し、前記設定内容データ受信手段が前記設定内容データを受信した場合に、前記パラメータ設定手段が前記設定内容データに基づいて前記設定パラメータの設定を行う一方で、前記設定内容データ転送手段は、前記転送先登録手段に登録された転送先に前記設定内容データを送信することを特徴とする。
【０００７】
本発明の請求項２記載の情報処理装置は、請求項１において、前記設定内容データ記憶手段に格納された前記設定内容データのうち少なくとも一つの設定パラメータの設定内容を変更することが可能な設定内容データ変更手段を有し、前記設定内容データを外部装置から受信した場合に、前記設定内容データ転送手段は、前記設定内容データ変更手段によって変更された設定内容データを、前記転送先登録手段に登録された転送先に転送することを特徴とする。
【０００８】
本発明の請求項３記載の情報処理装置は、請求項１において、前記設定内容データ記憶手段に格納された設定内容データのうち、自装置に存在しない設定パラメータに関する設定内容は削除することが可能な設定内容データ変更手段を有し、前記設定内容データを外部装置から受信した場合に、前記設定内容データ転送手段は、前記設定内容データ変更手段によって変更された設定内容データを、前記転送先登録手段に登録された転送先に転送することを特徴とする。
【０００９】
本発明の請求項４記載の情報処理装置は、請求項１において、前記設定内容データ記憶手段に格納された設定内容データのうち、自装置において自動設定禁止の設定がなされている設定パラメータの設定内容は削除することが可能な設定内容データ変更手段を有し、前記設定内容データを外部装置から受信した場合に、前記設定内容データ転送手段は、前記設定内容データ変更手段によって変更された設定内容データを、前記転送先登録手段に登録された転送先に転送することを特徴とする。
【００１０】
本発明の請求項５記載の情報処理装置は、オペレータが設定可能な設定パラメータを有し、前記設定パラメータを特定するための識別子と共に前記設定パラメータの設定内容を示した情報を少なくとも一組以上有する設定内容データを外部装置からネットワークを経由して受信する設定内容データ受信手段と、前記設定内容データ受信手段が受信した前記設定内容データに基づいて前記設定パラメータのうちの少なくとも一つ以上を設定可能なパラメータ設定手段を有する情報処理装置において、各設定パラメータごとに、「自動設定許可」または「自動設定禁止」または「確認した上で設定」のうちのいずれか一つをオペレータが選択するためのパラメータ状態選択手段を有し、受信した前記設定内容データに示された前記設定パラメータが前記パラメータ状態選択手段によって「自動設定許可」が選択されている設定パラメータである場合には、前記パラメータ設定手段は前記設定内容データに基づいて前記設定パラメータの設定を行い、受信した前記設定内容データに示された前記設定パラメータが前記パラメータ状態選択手段によって「自動設定禁止」が選択されている設定パラメータである場合には、前記パラメータ設定手段は前記設定パラメータの設定を行わず、受信した前記設定内容データに示された前記設定パラメータが前記パラメータ状態選択手段によって「確認した上で設定」が選択されている設定パラメータである場合には、オペレーションパネル上に設定要求があった旨の表示を行い、オペレータによって前記パラメータの設定許可の操作がなされた場合に、前記パラメータ設定手段は前記設定内容データに基づいて前記パラメータの設定を行うことを特徴とする。
【００１１】
本発明の請求項６記載の情報処理装置は、オペレータが設定可能な設定パラメータを有し、前記設定パラメータを特定するための識別子と共に前記設定パラメータの設定内容を示した情報を少なくとも一組以上有する設定内容データを外部装置からネットワークを経由して受信する設定内容データ受信手段と、前記設定内容データ受信手段が受信した前記設定内容データに基づいて前記設定パラメータのうちの少なくとも一つ以上を設定可能なパラメータ設定手段を有する情報処理装置において、自装置が有する前記設定パラメータに関して、前記設定パラメータを特定するための識別子と共に前記設定パラメータの設定内容を示した情報を少なくとも一組以上有する設定内容データを作成し、前記設定内容データをネットワーク上の外部装置に送信するための設定内容データ送信手段と、各設定パラメータごとに、「送出許可」または「送出禁止」のいずれかをオペレータが選択するためのパラメータ状態選択手段を有し、前記設定内容データ送信手段は、前記パラメータ状態選択手段によって「送出許可」の設定がなされている前記設定パラメータの設定内容は送信し、前記パラメータ状態選択手段によって「送出禁止」の設定がなされている前記設定パラメータの設定内容は送信しないことを特徴とする。
【００１２】
本発明の請求項７記載の情報処理装置は、請求項６において、前記設定内容データ送信手段は、前記設定パラメータを特定するための識別子を少なくとも一つ以上有するパラメータ識別データを外部装置からネットワークを経由して受信した場合に、前記パラメータ識別データの識別子によって特定された前記設定パラメータの設定内容を前記外部装置に送信することを特徴とする。
【００１３】
本発明の請求項８記載の情報処理装置は、オペレータが設定可能な設定パラメータを有し、前記設定パラメータを特定するための識別子と共に前記設定パラメータの設定内容を示した情報を少なくとも一組以上有する設定内容データを外部装置からネットワークを経由して受信する設定内容データ受信手段と、前記設定内容データ受信手段が受信した前記設定内容データに基づいて前記設定パラメータのうちの少なくとも一つ以上を設定可能なパラメータ設定手段を有する情報処理装置において、オペレータがネットワーク上の外部装置を選択するための外部装置選択手段と、前記外部装置選択手段によって選択された前記外部装置に対し、前記設定パラメータの設定内容の送信要求を送出する設定パラメータ送信要求手段を有し、前記設定パラメータ送信要求手段が送信要求を送出した後で、前記設定内容データ受信手段が前記外部装置から設定内容データを受信した場合に、前記パラメータ設定手段は受信した前記設定内容データに基づいて前記設定パラメータを設定することを特徴とする。
【００１４】
本発明の請求項９記載の情報処理装置は、請求項８において、オペレータが少なくとも一つ以上の前記設定パラメータを選択するための設定パラメータ選択手段を有し、前記設定パラメータ送信要求手段は、前記外部装置選択手段によって選択された前記外部装置に対し、前記設定パラメータ選択手段によって選択された前記設定パラメータの設定内容の送信要求を送出する手段であって、前記設定パラメータ送信要求手段が送信要求を送出した後で、前記外部装置から設定内容データを受信した場合に、前記パラメータ設定手段は、前記設定パラメータ選択手段によって選択された前記設定パラメータを、受信した前記設定内容データに基づいて設定することを特徴とする。
【００１５】
本発明の請求項１０記載の情報処理装置は、請求項１ないし請求項９いずれかにおいて、前記設定内容データのデータ形式がＸＭＬ形式であることを特徴とする。
【発明の効果】
【００１６】
本発明によれば、外部の装置からネットワークを経由して、装置の設定パラメータを容易かつ柔軟な方法で設定できるようになる。また、複数の装置間で設定パラメータのコピーを容易に行うことができるようになる。特に、設定パラメータの項目の種類が異なる装置間で設定パラメータの一部をコピーすることが可能になる。さらに、これらの装置を組み合わせることにより、利便性の高い、パラメータ自動設定ネットワークを構成することが可能になる。
【発明を実施するための最良の形態】
【００１７】
以下本発明を実施するための最良の形態を、実施例により詳しく説明する。
【実施例】
【００１８】
以下、図面を参照して、本発明における情報処理装置の実施例を説明する。
【００１９】
図１は本発明の実施例に係る装置を含むシステムの概要を示した構成図である。
【００２０】
同図において、ＰＣ（パーソナルコンピュータ）１０１は、ルータ１０２を介してインターネット１０３に接続されている。また、ルータ１０４を介して、インターネット１０３とＬＡＮ１０５は接続されている。ＬＡＮ１０５には、大型複写機１０６、小型複写機１０７、ファクシミリ装置１０８、プリンタ１０９、電話機１１０がそれぞれ接続されている。１０６〜１１０はいずれも本発明に係る情報処理装置である。
【００２１】
図２は本発明の実施例に係る情報処理装置の構成の一部を示すブロック図である。
【００２２】
同図において、ＣＰＵ２０１は、システム制御部であり、装置全体を制御する。ＲＯＭ２０２は、ＣＰＵの制御プログラムを格納するものである。ＲＡＭ２０３は、ＳＲＡＭ、ＤＲＡＭ等で構成され、プログラム制御変数等を格納するためのものである。また、オペレータが登録した各種設定パラメータ、各種ワーク用バッファもＲＡＭ２０３に格納されるものである。操作パネル２０４は、キーボード、タッチパネル等で構成され、オペレータが各種入力操作を行うためのものである。外部表示部２０５は、ＬＣＤ、ＬＥＤ等でオペレータに表示通知するためのものである。ＬＡＮ  ｉ／ｆ２０６は、ＬＡＮ２０７に接続するためのインターフェイスである。図２に示した構成は、本発明の実施例に係る情報処理装置の一部を示したものであり、装置によっては、この他、スキャナ部、プリンタ部、モデム、スピーカなどが装置の構成に加わる場合がある。
【００２３】
図３〜図７はＬＡＮ１０５に接続された情報処理装置１０６〜１１０の設定パラメータの設定項目と現在の設定値を示した表である。設定パラメータの設定値は、オペレータが操作パネル２０４を操作することによって変更可能である。また、後述するとおり、ネットワークを経由してデータを受信することにより変更することもできる。各情報処理装置は、オペレータが設定パラメータの設定値を変えることによって、装置の動作を変えることができる。
【００２４】
図３は、大型複写機１０６の設定パラメータの設定項目と現在の設定値を示した表である。図３に示したとおり、大型複写機１０６には、設定パラメータの設定項目として、「音量」、「プリント濃度」、「シャープネス」、「枠消し幅」、「自動ソート」、「回転記録」、「標準倍率」、「標準画質モード」、「オート節電」、「節電モード移行時間」、「表示言語」の各項目が用意されており、現在の設定値はそれぞれ、「３」、「５」、「５」、「２０ｍｍ」、「する」、「しない」、「１」、「写真」、「する」、「５分」、「日本語」となっている。各設定パラメータの設定値によって、装置の動作がどのように変わるかという点は、本発明の本質ではないので説明は省略する。
【００２５】
図４は、小型複写機１０７の設定パラメータの設定項目と現在の設定値を示した表である。図４に示したとおり、小型複写機１０７には、設定パラメータの設定項目として、「音量」、「プリント濃度」、「シャープネス」、「枠消し幅」、「自動ソート」の各項目が用意されており、現在の設定値はそれぞれ、「３」、「５」、「５」、「２０ｍｍ」、「する」となっている。
【００２６】
図５は、ファクシミリ装置１０８の設定パラメータの設定項目と現在の設定値を示した表である。図５に示したとおり、ファクシミリ装置１０８には、設定パラメータの設定項目として、「音量」、「プリント濃度」、「自動リダイヤル」、「リダイヤル回数」、「電話番号」、「短縮ダイヤル＃０１」、「短縮ダイヤル＃０２」、「短縮ダイヤル＃０３」、「短縮ダイヤル＃０４」、「短縮ダイヤル＃０５」、「短縮ダイヤル＃０６」、「短縮ダイヤル＃０７」、「短縮ダイヤル＃０８」、「短縮ダイヤル＃０９」、「短縮ダイヤル＃１０」の各項目が用意されており、現在の設定値はそれぞれ、「３」、「５」、「する」、「３回」、「０３−００００−００００」、「０３−９９９９−０００１／第一支店」、「０３−９９９９−０００２／第二支店」、「０３−９９９９−０００３／営業部」、「０３−９９９９−０００４／経理部」、「０３−９９９９−０００５／人事部」、「０３−９９９９−０００６／総務部」、「０３−９９９９−０００７／開発部」、「０３−９９９９−０００８／設計部」、「０３−９９９９−０００９／第一工場」、「０３−９９９９−００１０／第二工場」となっている。
【００２７】
図６は、プリンタ１０９の設定パラメータの設定項目と現在の設定値を示した表である。図６に示したとおり、プリンタ１０９には、設定パラメータの設定項目として、「プリント濃度」、「シャープネス」の各項目が用意されており、現在の設定値はそれぞれ、「５」、「５」となっている。
【００２８】
図７は、電話機１１０の設定パラメータの設定項目と現在の設定値を示した表である。図７に示したとおり、電話機１１０には、設定パラメータの設定項目として、「音量」、「短縮ダイヤル＃０１」、「短縮ダイヤル＃０２」、「短縮ダイヤル＃０３」の各項目が用意されており、現在の設定値はそれぞれ、「３」、「０３−９９９９−９９０１／本社」、「０３−９９９９−９９０２／第一支店」、「０３−９９９９−９９０３／第二支店」となっている。
【００２９】
以下、上記のシステムにおける４種類の実施例を示す。
【００３０】
まず、第一の実施例は、本発明に係る大型複写機１０６の設定パラメータの設定内容をＰＣ１０１から送られた設定内容データによって変更する例を示す。
【００３１】
大型複写機１０６においては、設定パラメータの各項目について、「自動設定禁止」、「自動設定許可」、「確認した上で変更」のいずれか一つの状態をオペレータが選択できるようになっている。ここでは、ＰＣ１０１から、図８の表で示した内容の設定内容データが大型複写機１０６に送られてきたものとする。設定内容データはＸＭＬ形式のデータである。図８の表では左端の列に１から７の番号があるが、これはｎ番目というデータの位置をわかりやすくするために記載したものであり、実際の設定内容データにはこの番号は含まれない。以下、図示した設定内容データの左端の列の番号は、すべて同様の意味である。
【００３２】
大型複写機１０６は、設定内容データを受信した後、図９のフローチャートに示した動作を行う。まず、変数ｎに初期値１をセットし（Ｓ９０１）、受信した設定内容データにｎ番目の項目はあるかを判断する（Ｓ９０２）。ここで、ｎ番目の項目、すなわち１番目の項目がない場合には、設定内容データが空であるので、設定パラメータの更新は行わずに処理を終了する。Ｓ９０２でｎ番目の項目があると判断された場合には、設定内容データのｎ番目の項目が自機の設定パラメータに存在するかを判断する（Ｓ９０３）。ここで、ｎ番目の項目の設定パラメータが自機にないと判断されれば、ｎに１を加え（Ｓ９０８）、Ｓ９０２の処理を再び行う。Ｓ９０３において、ｎ番目の項目の設定パラメータが自機にあると判断されれば、その設定パラメータ項目の状態を判断する（Ｓ９０４）。設定パラメータの状態は、前述のとおり「自動設定禁止」、「自動設定許可」、「確認した上で変更」の３通りがあるが、Ｓ９０４において、「自動設定禁止」の状態になっていると判断された場合は、設定パラメータの更新は行わずに、ｎに１を加え（Ｓ９０８）、Ｓ９０２の処理を再び行う。Ｓ９０４で「自動設定許可」の状態になっていると判断された場合には、該当する自機の設定パラメータの設定内容を、設定内容データのｎ番目の項目の設定内容に従って書き換える（Ｓ９０５）。その後、ｎに１を加え（Ｓ９０８）、Ｓ９０２の処理を再び行う。Ｓ９０４において、「確認した上で変更」の状態になっていると判断された場合には、装置の外部表示部２０５に、設定項目名と設定内容とともに、設定内容を更新して良いかオペレータに判断を促す旨の表示を行う（Ｓ９０６）。ここで、オペレータによって更新許可の操作がなされた場合には、Ｓ９０７で設定許可の操作がなされたと判断され、該当する自機の設定パラメータの設定内容を、設定内容データのｎ番目の項目の設定内容に従って書き換える（Ｓ９０５）。その後、ｎに１を加え（Ｓ９０８）、Ｓ９０２の処理を再び行う。Ｓ９０６の表示後、オペレータによって更新を許可しない旨の操作がなされた場合には、Ｓ９０７で設定許可の操作がなされなかったと判断され、ｎに１を加え（Ｓ９０８）、Ｓ９０２の処理を再び行う。Ｓ９０２以降の処理を少なくとも１回行った後で、再びＳ９０２の判断を行ったとき、Ｓ９０２で設定内容データにｎ番目の項目がないと判断されれば、受信した設定内容データの設定項目をすべてチェックしたことになるため、処理を終了する。
【００３３】
大型複写機１０６の最初の設定パラメータの設定内容が図３に示した内容であり、このうち「音量」の項目が「自動設定禁止」の状態であり、その他の設定項目が「自動設定許可」の状態であるとすると、受信した設定内容データが図８に示した内容であれば、本実施例の動作を行った後には、大型複写機１０６の設定パラメータの内容は、図１０のようになる。すなわち、「音量」の設定内容は、受信した設定内容データでは「２」であったにも関わらず「３」のまま変更されていない。一方「プリント濃度」の設定内容は「５」から「４」に変更されている。
【００３４】
以上の動作により、大型複写機１０６は、設定内容データに従って自機の設定パラメータを更新することができる。また、設定内容を更新するかどうかは大型複写機１０６の設定パラメータの状態によって判断を切り分けることができる。
【００３５】
本実施例では、ＰＣから設定内容データが送られるような例を説明したが、ネットワーク上の他の装置、例えば、ファクシミリ装置１０８から設定内容データを送ったとしても同様の処理を行うことができる。後述の実施例で示すように本実施例における装置は自機の設定パラメータの内容に従った設定内容データを作成し送信することができるので、このとき、ファクシミリ装置１０８が送る設定内容データがファクシミリ装置１０８自体の設定パラメータの設定内容であれば、ファクシミリ装置１０８の設定パラメータの設定内容を、大型複写機１０６にコピーできることになる。また、このような方法を採れば、ＰＣを介さずに設定パラメータを更新可能、同期可能なシステムを構築することができる。
【００３６】
次に、第二の実施例として、ＰＣ１０１から送信された送信内容データを、いったん大型複写機１０６で受信し、それをＬＡＮ１０５上の他の装置に転送することで、ＬＡＮ上の各装置の設定パラメータの設定内容を更新する例を示す。
【００３７】
ここでは、第一の実施例と同様、ＰＣ１０１から、図８の表で示した内容の設定内容データが大型複写機１０６に送られてきたものとする。また、大型複写機１０６には、転送先として、あらかじめ、ＬＡＮ上の装置のうち小型複写機１０７とファクシミリ装置１０８とプリンタ１０９と電話機１１０が登録されているものとする。これら転送先はオペレータが任意に登録、削除を行うことができる。さらに、大型複写機１０６は、設定内容データの転送を行うか否かをオペレータがあらかじめ設定しておくことができる。
【００３８】
大型複写機１０６は、ＰＣ１０１から設定内容データを受け取った後、第一の実施例に示した処理を行う一方で、図１１のフローチャートに示した処理を行う。図１１のフローチャートに示した処理は、第一の実施例に示した処理より先に行っても良いし後に行っても良い。また、同時に並行して処理を行っても良い。
【００３９】
以下、図１１のフローチャートに沿って、第二の実施例の処理を説明する。
【００４０】
まず、設定内容データを受信しＲＡＭ１０４に一時格納した後、設定内容データを転送する設定かどうかを判断する（Ｓ１１０１）。ここで、転送する設定ではないと判断されれば、転送は行わず処理を終了する。Ｓ１１０１で転送する設定であると判断されれば、変数Ｎに初期値１をセットし（Ｓ１１０２）、あらかじめ登録されている転送先としてＮ番目の転送先があるかどうかを判断する（Ｓ１１０３）。ここでＮ番目、すなわち１番目の転送先がないと判断されれば、転送先が一つもないということであるから、転送を行わず処理を終了する。Ｓ１１０３において、Ｎ番目の転送先があると判断されれば、その転送先に設定内容データを転送する（Ｓ１１０４）。その後、変数Ｎに１を加え（Ｓ１１０５）、再びＳ１１０３の判断を行う。Ｓ１１０３の判断を少なくとも１回行った後で、再びＳ１１０３の判断を行ったときにＮ番目の転送先がないと判断されれば、あらかじめ装置に登録されていたすべての転送先に設定内容データを転送したことになるので、処理を終了する。ここまでの大型複写機１０６の動作により、ＰＣ１０１から受信した設定内容データを、小型複写機１０７、ファクシミリ装置１０８、プリンタ１０９、電話機１１０に転送することができる。
【００４１】
小型複写機１０７、ファクシミリ装置１０８、プリンタ１０９、電話機１１０の各装置においては、第一の実施例で示した動作と同様の処理を行い、おのおの自機の設定パラメータの更新を行う。例えば、小型複写機１０７の最初の設定パラメータの設定内容が図４に示した内容であり、すべての設定パラメータが「自動設定許可」の状態であり、ＰＣ１０１から大型複写機１０６に送信された設定内容データが図８に示した内容である場合には、小型複写機１０７の設定パラメータは図１２に示した内容になる。すなわち、「音量」の設定内容が「３」から「２」に変更され、「プリント濃度」の設定内容が「５」から「４」に変更される。同様に、ファクシミリ装置１０８の最初の設定パラメータの設定内容が図５に示した内容であり、すべての設定パラメータが「自動設定許可」の状態である場合には、ファクシミリ装置１０８の設定パラメータは図１３に示した内容になる。図示はしていないが、プリンタ１０９、電話機１１０の設定パラメータも同様の方法で変更を行うことが可能になる。
【００４２】
続いて、第三の実施例として、大型複写機１０６において設定内容データを受信した後、その設定内容データを加工した上で、ＬＡＮ１０５上の他の装置に転送する例を示す。大型複写機１０６には、設定内容データを加工する方法として、以下の４種類の方法が備わっている。
【００４３】
三−１．自機の設定パラメータが「自動設定禁止」の場合にはその項目の設定内容を自機の設定内容に変更して転送する。
【００４４】
三−２．自機に存在しない設定項目は転送しない。
【００４５】
三−３．自機の設定パラメータが「自動設定禁止」の場合にはその項目は転送しない。
【００４６】
三−４．自機の設定パラメータが「送信許可」でない場合にはその項目は転送しない。
【００４７】
大型複写機１０６においては、設定内容データの転送方法として、上記の４つの方法と、加工しないで転送するという方法の計５種類の方法のうちの一つをオペレータが任意に選択できるようになっている。以下に、ＰＣ１０１から送信された送信内容データを、いったん大型複写機１０６で受信し、それを加工した上でＬＡＮ１０５上の他の装置に送信する方法を示す。
【００４８】
まず、上記三−１に示した転送方法において、転送する設定内容データを作成するときの動作を、図１４のフローチャートに沿って説明する。大型複写機１０６は設定内容データを受信した後、送信用設定内容データを初期化する（Ｓ１４０１）。すなわち、送信用の設定内容データを格納するバッファを空にする。その後、Ｓ１４０２で変数ｎに初期値１を代入し、受信した設定内容データにｎ番目の項目があるかどうかを判断する（Ｓ１４０３）。ここで、ｎ番目、すなわち１番目の項目がない場合には、受信した設定内容データが空であるので、送信用の設定内容データには何も書き込まずに処理を終了する。図１４には記載していないが、この場合は設定内容データの転送は行わない。Ｓ１４０３で、受信した設定内容データにｎ番目の項目があると判断されれば、その項目に該当する自機の設定パラメータの状態を判断する（Ｓ１４０４）。ここで、該当する設定パラメータが「自動設定禁止」の状態であると判断されれば、送信用の設定内容データに、受信した設定内容データのｎ番目の項目名とその項目名に該当する自機の設定内容をコピーする（Ｓ１４０５）。本実施例では、項目名をコピーするようにしているが、項目名ではなく項目を識別するための番号や文字列をコピーする方法でも良い。Ｓ１４０４で、設定パラメータが「自動設定禁止」以外の状態であると判断されれば、受信した設定内容データのｎ番目の項目の項目名と設定内容を送信用の設定内容データにコピーする（Ｓ１４０６）。Ｓ１４０４の「自動設定禁止」以外の状態とは、設定パラメータが「自動設定許可」または「確認した上で変更」の状態であるか、または、該当する設定パラメータが自機に存在しない、という意味である。Ｓ１４０５またはＳ１４０６の処理の後は、変数ｎに１を加え（Ｓ１４０７）、再びＳ１４０３の処理を行う。Ｓ１４０３以降の処理を１回以上行った後、再びＳ１４０３の処理を行ったとき、受信した設定内容データにｎ番目の項目がないと判断されれば、設定内容データの加工処理を終了する。
【００４９】
以上の処理により、送信用設定内容データが作成され、その後、大型複写機１０６はこの設定内容データをネットワーク上の他の装置に送信する。本実施例において、大型複写機１０６の最初の設定パラメータの設定内容が図３の内容であり、このうち「音量」の項目が「自動設定禁止」の状態であり、その他の設定項目が「自動設定許可」の状態であるとすると、受信した設定内容データが図８に示した内容であれば、本実施例の動作を行った後、送信用の設定内容データは図１５のようになる。図８と図１５の比較でわかるとおり、「音量」の設定内容が「２」から「３」に変わったことになり、設定内容データを加工して転送を行うことができる。この動作により、複写機１０６において、特定の設定値にしたい設定パラメータを指定することが可能になり、外部から自動設定を行う際の利便性が増す。
【００５０】
次に、前述の三−２に示した転送方法において、転送する設定内容データを作成するときの動作を、図１６のフローチャートに沿って説明する。大型複写機１０６は設定内容データを受信した後、Ｓ１６０１、Ｓ１６０２、Ｓ１６０３の処理を行う。これは、それぞれ、Ｓ１４０１、Ｓ１４０２、Ｓ１４０３の処理と同じ動作である。従って、ここではＳ１６０３以降の処理について説明する。Ｓ１６０３で、受信した設定内容データにｎ番目の項目があると判断されれば、その項目に該当する自機の設定パラメータが存在するかどうかを判断する（Ｓ１６０４）。ここで、該当する設定パラメータが存在しないと判断されれば、変数ｎに１を加え（Ｓ１６０６）、Ｓ１６０３の処理を再び行う。Ｓ１６０４において、該当する設定パラメータが存在すると判断されれば、送信用の設定内容データにｎ番目の項目の項目名とその項目名に該当する自機の設定内容をコピーする（Ｓ１６０５）。その後は、変数ｎに１を加え（Ｓ１６０６）、Ｓ１６０３の処理を再び行う。Ｓ１６０３以降の処理を１回以上行った後、再びＳ１６０３の処理を行ったとき、受信した設定内容データにｎ番目の項目がないと判断されれば、設定内容データの加工処理を終了する。
【００５１】
以上の処理により、送信用設定内容データが作成され、その後、大型複写機１０６はこの設定内容データをネットワーク上の他の装置に送信する。本実施例において、大型複写機１０６の最初の設定パラメータの設定内容が図３の内容であり、受信した設定内容データが図８に示した内容であれば、本実施例の動作を行った後、送信用の設定内容データは図１７のようになる。図８と図１７の比較でわかるとおり、大型複写機１０６に存在しない設定パラメータが削除されたことになり、設定内容データを加工して転送を行うことができる。この動作により、複写機１０６において、無駄な設定パラメータを排除することが可能になり、ネットワークや個々の装置の付加を軽減できるようになる。
【００５２】
続いて、前述の三−３に示した転送方法において、転送する設定内容データを作成するときの動作を、図１８のフローチャートに沿って説明する。大型複写機１０６は設定内容データを受信した後、Ｓ１８０１、Ｓ１８０２、Ｓ１８０３の処理を行う。これは、それぞれ、Ｓ１４０１、Ｓ１４０２、Ｓ１４０３の処理と同じ動作である。従って、ここではＳ１８０３以降の処理について説明する。Ｓ１８０３で、受信した設定内容データにｎ番目の項目があると判断されれば、その項目に該当する自機の設定パラメータの状態を判断する（Ｓ１８０４）。ここで、該当する設定パラメータが「自動設定禁止」の状態であると判断されれば、送信用の設定内容データに書き込みは行わず、変数ｎに１を加え（Ｓ１８０６）、Ｓ１８０３の処理を再び行う。Ｓ１８０４で、設定パラメータが「自動設定禁止」以外の状態であると判断されれば、受信した設定内容データのｎ番目の項目の項目名と設定内容を送信用の設定内容データにコピーする（Ｓ１８０５）。Ｓ１８０４の「自動設定禁止」以外の状態とは、設定パラメータが「自動設定許可」または「確認した上で変更」の状態であるか、または、該当する設定パラメータが自機に存在しない、という意味である。Ｓ１８０５の処理の後は、変数ｎに１を加え（Ｓ１８０６）、再びＳ１８０３の処理を行う。Ｓ１８０３以降の処理を１回以上行った後、再びＳ１８０３の処理を行ったとき、受信した設定内容データにｎ番目の項目がないと判断されれば、図１８のフローチャートの処理を終了する。
【００５３】
以上の処理により、送信用設定内容データが作成され、その後、大型複写機１０６はこの設定内容データをネットワーク上の他の装置に送信する。本実施例において、大型複写機１０６の最初の設定パラメータの設定内容が図３の内容であり、このうち「音量」の項目が「自動設定禁止」の状態であり、その他の設定項目が「自動設定許可」の状態であるとすると、受信した設定内容データが図８に示した内容であれば、本実施例の動作を行った後、送信用の設定内容データは図１９のようになる。図８と図１９の比較でわかるとおり、「音量」の項目が削除されたことになり、設定内容データを加工して転送を行うことができる。この動作により、複写機１０６において、変更を行いたくない設定パラメータを指定することが可能になり、外部から自動設定を行う際の利便性が増す。
【００５４】
さらに、前述の三−４に示した転送方法において、転送する設定内容データを作成するときの動作を、図２０のフローチャートに沿って説明する。本実施例の大型複写機１０６においては、設定パラメータの各項目ごとに、設定内容の送信を「許可する」か「禁止する」かをあらかじめ設定することができる。大型複写機１０６は設定内容データを受信した後、Ｓ２００１、Ｓ２００２、Ｓ２００３の処理を行う。これは、それぞれ、Ｓ１４０１、Ｓ１４０２、Ｓ１４０３の処理と同じ動作である。従って、ここではＳ２００３以降の処理について説明する。Ｓ２００３で、受信した設定内容データにｎ番目の項目があると判断されれば、その項目に該当する自機の設定パラメータが、送信許可の設定になっているかどうかを判断する（Ｓ２００４）。ここで、該当する設定パラメータが送信許可の設定ではないと判断されれば、送信用の設定内容データに書き込みは行わず、変数ｎに１を加え（Ｓ２００６）、Ｓ２００３の処理を再び行う。Ｓ２００４で、送信許可の状態であると判断されれば、受信した設定内容データのｎ番目の項目の項目名と設定内容を送信用の設定内容データにコピーする（Ｓ２００５）。Ｓ２００４においては、該当する設定パラメータが自機に存在しない場合には送信許可の設定ではないと判断する。Ｓ２００５の処理の後は、変数ｎに１を加え（Ｓ２００６）、再びＳ２００３の処理を行う。Ｓ２００３以降の処理を１回以上行った後、再びＳ２００３の処理を行ったとき、受信した設定内容データにｎ番目の項目がないと判断されれば、図２０のフローチャートに示した処理を終了する。
【００５５】
以上の処理により、送信用設定内容データが作成され、その後、大型複写機１０６はこの設定内容データをネットワーク上の他の装置に送信する。本実施例において、大型複写機１０６の最初の設定パラメータの設定内容が図３の内容であり、このうち「音量」の項目が送信を禁止する設定であり、その他の設定項目が送信を許可する設定であるとすると、受信した設定内容データが図８に示した内容であれば、本実施例の動作を行った後、送信用の設定内容データは図２１のようになる。図８と図２１の比較でわかるとおり、「音量」の項目と、大型複写機１０６に存在しない設定パラメータが削除されたことになり、設定内容データを加工して転送を行うことができる。この動作により、複写機１０６において、送信を行う設定パラメータを明示的に指定することが可能になり、外部から自動設定を行う際の利便性が増す。
【００５６】
続いて、第四の実施例として、本発明に係る装置に関して、ネットワーク上の他の装置に設定内容データの送信要求を行い、その後に受信した設定内容データの内容をもとに自機の設定パラメータの設定内容を変更する例を示す。この方法を用いれば、ネットワーク上の他の装置の設定内容の全部または一部を自機にコピーすることが可能となる。ここでは、実施例として、電話機１１０の操作により、ファクシミリ装置１０８の設定内容の一部を電話機１１０にコピーする例を示す。
【００５７】
まず、図２２のフローチャートに沿って、電話機１１０の動作を説明する。電話機１１０においては、オペレータが操作パネル２０４を操作することにより、ネットワーク上の装置の指定と、設定パラメータの項目名の指定を行うことができる。オペレータがその操作を行った後、Ｓ２２０１で、指定された相手先に対し、設定内容データの送信要求を送信する。送信要求には、送信要求を意味する信号の他に、送信を要求する設定パラメータの項目名も含まれる。ここでは、送信要求データとして、図２３の表に示した設定項目名が送信されたものとする。すなわち、「短縮ダイヤル＃０１」、「短縮ダイヤル＃０２」、「短縮ダイヤル＃０３」の３項目の設定内容を送信することを要求しているという意味である。本実施例では、項目名を送信しているが、項目名ではなく、項目名を識別することが可能な番号や文字列を送信するようにしても良い。また、図２３の表では、便宜上、左端の列に１から３の番号を記載しているが、この番号は送信要求データには含まれない。
【００５８】
電話機１１０はＳ２２０１の動作の後、相手機すなわちファクシミリ装置１０８から設定内容データを受信したかどうかを判断する（Ｓ２２０２）。ここで、設定内容データを受信していないと判断されれば、送信要求を送出後に所定時間経過したかを判断する（Ｓ２２０３）。Ｓ２２０３において、所定時間経過していないと判断されれば、再びＳ２２０２の処理を行う。Ｓ２２０３において、所定時間経過したと判断されれば、設定パラメータの更新は行わずに処理を終了する。ここで所定時間とは、あらかじめ装置にプログラムされている時間であり、何らかの原因で設定内容データが送られてこなかった場合のために設けているものである。
【００５９】
Ｓ２２０２において、設定内容データを相手機から受信したと判断されれば、その設定内容データをもとに設定パラメータの更新を行い（Ｓ２２０４）、処理を終了する。Ｓ２２０４の処理は、第一の実施例で示した処理と同様である。
【００６０】
次に、相手機であるファクシミリ装置１０８の動作を、図２４のフローチャートに沿って説明する。ファクシミリ装置１０８においては、送信要求データを受信した後、図２４のフローチャートに示した動作を行う。まず、送信用設定内容データを初期化する（Ｓ２４０１）。すなわち、送信用の設定内容データを格納するバッファを空にする。その後、Ｓ２４０２で変数ｎに初期値１を代入し、受信した設定内容データにｎ番目の項目があるかどうかを判断する（Ｓ２４０３）。Ｓ２４０３において、受信した設定内容データにｎ番目の項目があると判断されれば、そのｎ番目の項目に該当する設定パラメータが自機にあるかどうかを判断する（Ｓ２４０４）。ここで、該当する設定パラメータが自機にないと判断されれば、変数ｎに１を加え（Ｓ２４０６）、再びＳ２４０３の処理を行う。Ｓ２４０４で、該当する設定パラメータが自機にあると判断されれば、送信用の設定内容データにｎ番目の項目名と自機の設定内容をコピーする（Ｓ２４０５）。その後、変数ｎに１を加え（Ｓ２４０６）、再びＳ２４０３の処理を行う。
【００６１】
Ｓ２４０３において、受信した送信要求データにｎ番目の項目がないと判断されれば、送信要求データの各項目の処理はすべて終了したことになるので、Ｓ２４０７で送信用の設定内容データのバッファが空かどうかの判断を行う。もし送信用設定内容データのバッファが空であれば、設定内容データの送信は行わず処理を終了する。Ｓ２４０７で、送信用設定内容データのバッファが空ではないと判断されれば、その設定内容データを、送信要求データを送ってきた相手に送信する（Ｓ２４０８）。
【００６２】
以上、説明した電話機１１０とファクシミリ装置１０８の相互の動作により、ファクシミリ装置１０８の設定パラメータの一部の設定内容を、電話機１１０にコピーすることができる。本実施例において、電話機１１０の最初の設定パラメータの設定内容が図７の内容であり、ファクシミリ装置１０８の最初の設定パラメータの設定内容が図５のないようであり、電話機１１０が送信要求データとして図２３に示した内容のデータを送信した場合には、本実施例の動作を行った後、電話機１１０の設定パラメータの設定内容は図２５のようになる。すなわち、「短縮ダイヤル＃０１」、「短縮ダイヤル＃０２」、「短縮ダイヤル＃０３」の設定内容が、ファクシミリ装置１０８からコピーされたことになる。この動作により、ネットワーク上の任意の装置から、任意の設定パラメータの設定内容を自機にコピーすることが可能になり、設定パラメータの設定が容易に、かつ、正確に行えるようになる。
【００６３】
以上、４つの実施例を説明したが、これらの実施例で示した動作を組み合わせることにより、より柔軟で利便性の高い、パラメータ自動設定ネットワークを構成することが可能になる。
【００６４】
本実施例では、機器間で送受するデータ形式としてＸＭＬ形式を使用している。これは、ＸＭＬを使用することによりデータが扱い易くなり、また、汎用性も増すという利点があるためだが、本発明は、各種テキストファイルやバイナリデータの送受によって実現しても良い。また、本実施例においてはネットワーク上の装置に関して説明したが、ネットワーク上の装置にインストールされたソフトウェアや、装置に接続されたビデオカードやモデムカード等の付属機器についても一つのネットワーク上の装置とみなすことができ、これらが互いに設定パラメータの内容の送受を行って本実施例と同様の処理を行う場合にも、本発明は適用し得るものである。
【００６５】
なお、以上のような動作はＣＰＵ２０１がＲＯＭ２０２やＲＡＭ２０３に記憶したプログラムに基づいて実行するものであるが、本発明は、このようなプログラムをフロッピー（Ｒ）ディスクやハードディスク、ＣＤ−ＲＯＭ、ＤＶＤ−ＲＯＭ、メモリカード等の各種記憶媒体に格納し、これを専用のデータ読取装置によって、コンピュータ等の情報処理装置に取り込み、ＣＰＵ２０１で実行するようにしてもよい。
【００６６】
また、以上の実施例では、複写機やファクシミリ装置、プリンタ、電話機を例に説明したが、本発明はこれに限らず、例えばスキャナ、モニター、各種通信装置などの電子装置、あるいは、コンピュータ等の情報処理装置における装置制御においても、同様に適用し得るものである。
【図面の簡単な説明】
【００６７】
【図１】本発明の実施例による情報処理装置で構成されたネットワークの構造を示す模式図である。
【図２】本発明の実施例による情報処理装置の構成の一部を示すブロック図である。
【図３】上記実施例による大型複写機１０６における設定パラメータの設定項目と設定内容を示す模式図である。
【図４】上記実施例による小型複写機１０７における設定パラメータの設定項目と設定内容を示す模式図である。
【図５】上記実施例によるファクシミリ装置１０８における設定パラメータの設定項目と設定内容を示す模式図である。
【図６】上記実施例によるプリンタ１０９における設定パラメータの設定項目と設定内容を示す模式図である。
【図７】上記実施例による電話機１１０における設定パラメータの設定項目と設定内容を示す模式図である。
【図８】上記実施例による設定内容データの設定項目と設定内容を示す模式図である。
【図９】上記実施例による情報処理装置の動作を示すフローチャートである。
【図１０】上記実施例による大型複写機１０６における設定パラメータの設定項目と設定内容を示す模式図である。
【図１１】上記実施例による情報処理装置の動作を示すフローチャートである。
【図１２】上記実施例による小型複写機１０７における設定パラメータの設定項目と設定内容を示す模式図である。
【図１３】上記実施例によるファクシミリ装置１０８における設定パラメータの設定項目と設定内容を示す模式図である。
【図１４】上記実施例による情報処理装置の動作を示すフローチャートである。
【図１５】上記実施例による設定内容データの設定項目と設定内容を示す模式図である。
【図１６】上記実施例による情報処理装置の動作を示すフローチャートである。
【図１７】上記実施例による設定内容データの設定項目と設定内容を示す模式図である。
【図１８】上記実施例による情報処理装置の動作を示すフローチャートである。
【図１９】上記実施例による設定内容データの設定項目と設定内容を示す模式図である。
【図２０】上記実施例による情報処理装置の動作を示すフローチャートである。
【図２１】上記実施例による設定内容データの設定項目と設定内容を示す模式図である。
【図２２】上記実施例による情報処理装置の動作を示すフローチャートである。
【図２３】上記実施例による送信要求データの設定項目を示す模式図である。
【図２４】上記実施例による情報処理装置の動作を示すフローチャートである。
【図２５】上記実施例による電話機１１０における設定パラメータの設定項目と設定内容を示す模式図である。
【符号の説明】
【００６８】
１０１  パーソナルコンピュータ（ＰＣ）
１０２  ルータ
１０３  インターネット
１０４  ルータ
１０５  ＬＡＮ
１０６  大型複写機
１０７  小型複写機
１０８  ファクシミリ装置
１０９  プリンタ
１１０  電話機
２０１  ＣＰＵ
２０２  ＲＯＭ
２０３  ＲＡＭ
２０４  操作パネル
２０５  外部表示部
２０６  ＬＡＮ  ｉ／ｆ
２０７  ＬＡＮ
【図１】
2005228210.tif 000003
【図２】
2005228210.tif 000004
【図３】
2005228210.tif 000005
【図４】
2005228210.tif 000006
【図５】
2005228210.tif 000007
【図６】
2005228210.tif 000008
【図７】
2005228210.tif 000009
【図８】
2005228210.tif 000010
【図９】
2005228210.tif 000011
【図１０】
2005228210.tif 000012
【図１１】
2005228210.tif 000013
【図１２】
2005228210.tif 000014
【図１３】
2005228210.tif 000015
【図１４】
2005228210.tif 000016
【図１５】
2005228210.tif 000017
【図１６】
2005228210.tif 000018
【図１７】
2005228210.tif 000019
【図１８】
2005228210.tif 000020
【図１９】
2005228210.tif 000021
【図２０】
2005228210.tif 000022
【図２１】
2005228210.tif 000023
【図２２】
2005228210.tif 000024
【図２３】
2005228210.tif 000025
【図２４】
2005228210.tif 000026
【図２５】
2005228210.tif 000027